(57)【要約】      （修正有）【課題】寝ている乳児の眠りを妨げることのない小児用ベッドを提供する。【解決手段】硬質の物質製の、蝶番取付けされた２つの外郭部分（２、３）から成り、クッション材（４）が両方の外郭部分（２、３）の周りに備えられ、そして、両方の外郭部分（２、３）が、両方の外郭部分（２、３）が一線になっている開放位置と、両方の外郭部分（２、３）が折り曲げられ一体になっている閉鎖位置と、の間で互いに動作可能であることを特徴とする小児用ベッドである。【選択図】図１
2006192274.tif 000002
【特許請求の範囲】
【請求項１】
硬質の物質製の、蝶番取付けされた２つの外郭部分（２、３）から成り、クッション材（４）が両方の外郭部分（２、３）の周りに備えられ、そして、両方の外郭部分（２、３）が、両方の外郭部分（２、３）が一線になっている開放位置と、両方の外郭部分（２、３）が折り曲げられ一体になっている閉鎖位置と、の間で互いに動作可能であることを特徴とする小児用ベッド。
【請求項２】
蝶番が２つの同軸のヒンジペン（１８）から成ることを特徴とする請求項１に記載の小児用ベッド。
【請求項３】
両方の外郭部分（２、３）を互いに対して固定することを可能にするクランプ手段（１９）を有することを特徴とする請求項１に記載の小児用ベッド。
【請求項４】
当該クランプ手段（１９）が、同軸のヒンジペン（１８）の少なくとも１つの周りに、両方の外郭部分（２、３）上に互いに対向して備えられた、半径方向に向いている歯を有する２つのリング状の歯車装置（２０、２１）から成ることを特徴とする請求項２又は３に記載の小児用ベッド。
【請求項５】
両方の外郭部分（２、３）が、多少弾力性を有することを特徴とする請求項１から４までのいずれか１つに記載の小児用ベッド。
【請求項６】
当該クッション材（４）が柔軟なフラップ（３０）を備え、前記フラップが、小児用ベッドが閉鎖位置にある時に、前記フラップ（３０）を少なくとも部分的に小児用ベッドの周りに固定することを可能にする手段（３２）を有することを特徴とする請求項１から５までのいずれか１つに記載の小児用ベッド。
【請求項７】
小児用ベッド（１）が開放位置にある時に、当該フラップ（３０）が、小児用ベッド（１）が置かれているマットレスの縁の下に置くことができることを特徴とする請求項６に記載の小児用ベッド。
【請求項８】
当該フラップ（３０）が取っ手（３１）を備えていることを特徴とする請求項６に記載の小児用ベッド。
【請求項９】
当該フラップ（３０）に備えられた当該手段（３２）が、いわゆる留め金及び輪状のファスナーから成ることを特徴とする請求項６に記載の小児用ベッド。
【請求項１０】
両方の外郭部分（２、３）が、別々のクッション材（４）を備えていることを特徴とする請求項１から９までのいずれか１つに記載の小児用ベッド。
【請求項１１】
当該クッション材（４）が、少なくとも１つの開口（２８）を有し、前記開口を通って外郭部分（２、３）をクッション材（４）から取り外すことができることを特徴とする請求項１から１０までのいずれか１つに記載の小児用ベッド。
【発明の詳細な説明】
【技術分野】
【０００１】
本発明は小児用ベッドに関し、特に、持ち運びが簡単であり、乳児がその中で眠れるように、肘掛け椅子等に折り畳まずに置かれるように設計された型の小児用ベッドに関する。
【背景技術】
【０００２】
そのような小児用ベッドは既に知られており、２つの半分の部分が互いに対して二重に重なるように折り畳むことができるクッション材から成り、２つの半分の部分の１つに、外郭の半分の形の硬質の芯が備えられている。
【発明の開示】
【発明が解決しようとする課題】
【０００３】
そのような小児用ベッドの欠点は、乳児が寝ている時に、乳児の邪魔をせずに前記ベッドを移動させることができないことである。
【０００４】
事実、そのような小児用ベッドを持ち上げる時、前記ベッドに寝ている乳児が前記ベッドから落ちることを防止する為に、柔軟な材料製の外郭部分は支持される必要があり、それにより、外郭部分を支持する時に乳児も同様に間接的に支持され、多くの場合、寝ている乳児の眠りを妨げてしまう。
【０００５】
本発明は上記及び他の欠点を改善することを目的としている。
【課題を解決するための手段】
【０００６】
その目的の為に、本発明は硬質の物質製の、蝶番取付けされた２つの外郭部分から成り、クッション材が両方の外郭部分の周りに備えられ、そして、両方の外郭部分が、両方の外郭部分が一線になっている開放位置と、両方の外郭部分が折り曲げられ一体になっている閉鎖位置と、の間で互いに動作可能である小児用ベッドに関する。
【０００７】
本発明の利点は、小児用ベッドが完全に乳児を支持することにより、結果的に、小児用ベッドが移動される時も、乳児が邪魔されることなく、そして危険もなく、眠り続けられることである。
【０００８】
本発明による小児用ベッドは、好ましくは、両方の外郭部分を互いに対して固定することを可能にするクランプ手段を有する。
【０００９】
そのような好ましい実施例は、小児用ベッドが開放位置で固定されている時に、両方の外郭部分が自然に崩れてしまう危険もなく、小児用ベッドが簡単に持ち上げられる点で有利である。
【発明を実施するための最良の形態】
【００１０】
本発明の特徴をより良く説明する為に、本発明による小児用ベッドの下記の好ましい実施例について、何ら限定するものではなく、単なる例として、添付の図面を参照にして説明する。
【００１１】
図１〜３は、主に２つの半分の外郭部分２、３から成る発明による小児用ベッドを示し、前記外郭部分が硬質であるが、多少柔軟なプラスチック等から成り、その周りにクッション材４が備えられている。
【００１２】
図４に示されているように、両方の外郭部分２、３は、好ましくは補強リブ７を備えた底面板５、６から成り、前記底面板は、前記底面板の３つの側に沿った周囲に直立する壁８、９金型を備え、前記壁の上端には外側に向けて曲がっているつばが備えられている。
【００１３】
第１の外郭部分２の底面板５の開放されている側の端１２が、実質的に前記端１２の全長に渡って延びている切り欠き１３を備え、第２の外郭部分３の開放されている側の底面板６の対向する端１４が、前記端１２と相補的であるが、第１の外郭部分２の前記端１２の長さよりも少なくとも多少短い長さを有する。
【００１４】
第２の外郭部分３の直立する壁９が、この外郭部分３の自由端１４より、前記壁の遠端１５で多少延びており、この延びている遠端１５と第１の外郭部分２の直立する壁の遠端が重なり合う。
【００１５】
両方の外郭部分の重なり合う遠端において、孔１６、１７がそれぞれ備えられ、前記孔を通ってヒンジペン(hinge pen)１８がそれぞれ備えられている。
【００１６】
直立する壁８、９の重なり合う遠端のそれぞれに１つ備えられた両方の同軸のヒンジペン１８が、両方の外郭部分２、３の間の蝶番を形成している。
【００１７】
図８〜１１に示されているように、両方の外郭部分２、３の間の同軸の蝶番結合の両方又は１つに、互いに対して両方の外郭部分２、３を固定することを可能にするクランプ手段１９が備えられている。
【００１８】
この場合、これらのクランプ手段１９は、両方の外郭部分２、３の直立する壁８、９の重なり合う遠端の互いに向き合っている側面に、互いに対向して備えられている半径方向に向いている歯を有する２つのリング状の歯車装置２０、２１から成る。
【００１９】
この場合、歯車装置２０、２１は、孔１６、１７の周りに、それぞれリング状の厚い部分２２、２３上に備えられ、両方の歯車装置２０及び２１は連動して動作し、両方の外郭部分２、３の間の蝶番結合を固定することができる。
【００２０】
また、クランプ手段のこの実施例では、第１の外郭部分２の直立する壁８の外側に、それぞれの孔１７の周りに、リング状の突起２４が備えられ、そして、遠端に回転ノブ２５を備えた前記ヒンジペン１８が備えられ、該回転ノブの周辺端が少なくともリング状の突起２４の直径と同等の大きさを有し、前記ヒンジペン１８がもう１つの遠端にネジ山２６を備え、孔１６がネジ穴２７に形成されている。
【００２１】
この場合、小児用ベッド１の前記クッション材４は、プラスチック製の外郭部分の形状を装うように形成された布から成り、小児用ベッドの内側を覆う布の部分が、好ましくは、多少厚く形成されるか、又は追加の、乳児の為のマットレスとしての役目を果たす変形可能な層を備えている。
【００２２】
クッション材４には、好ましくは、小児用ベッド１の遠端の両方又は１つに開口２８が備えられ、前記開口を通って外郭部分２、３をクッション材４から取り外すことができ、この場合、前記開口２８はファスナー２９により閉じることができる。
【００２３】
さらに、好ましくは、フラップ３０も縫い付け等によりクッション材４に備えられ、前記フラップ３０が、柔軟な物質から形成され、取っ手３１を備え、そして、小児用ベッド１が閉鎖位置にある時に、少なくとも部分的に小児用ベッド１の周りに前記フラップ３０を固定することを可能にする手段３２を備えている。
【００２４】
この場合、フラップ３０は第１の外郭部分２の直立する壁８に備えられ、前記フラップは、少なくとも小児用ベッド１の第２の外郭部分３上のクッション材４の部分にフラップ３０の自由な遠端を固定することを可能にする留め金及び輪状のファスナーを備えている。
【００２５】
本発明による小児用ベッドの使用は下記に示すように簡単である。
【００２６】
本発明による小児用ベッドが使用されている時、又は開放位置にある時、図１に示されるように、前記底面板５及び６は一線に配置されており、両方の底面板５、６の自由端１２及び１４は接続されている。
【００２７】
小児用ベッド１は、１つ又は２つの回転ノブ２５を回すことにより、両方の外郭部分２、３の歯車装置２０及び２１が互いに向かって引き寄せられ、互いに噛合うように、１つ又は２つのヒンジペン１８のネジ山２６が第２の外郭部分３のネジ孔２７にねじ込まれ、したがって、ヒンジペン１８の周りにおける外郭部分２、３の相互回転を防止し、この開放位置に固定されることが可能である。
【００２８】
この小児用ベッドの固定された開放位置においては、乳児が前記ベッドの中に寝ている時にも、乳児を起したり、邪魔したりすることなく、簡単に前記小児用ベッドを移動することができる。
【００２９】
使用後に小児用ベッド１を片付ける為には、１つ又は２つの回転ノブ２５がまた緩められ、その結果、外郭部分２、３の柔軟性のおかげで、歯車装置２０、２１が互いに離れ、したがって、外郭部分２、３を互いに対して解放する。
【００３０】
一旦両方の歯車装置２０、２１が互いから少し離れて配置されると、両方の外郭部分２、３は互いに対して自由に回転し、図３に示されているように、閉鎖位置に移動することができる。
【００３１】
そのような閉鎖位置においては、外郭部分２、３は折り畳まれ、第２の外郭部分３の直立する壁９は第１の外郭部分２内に配置され、小型の形状が達成される。
【００３２】
閉鎖位置においては、両方の底面板５及び６の自由端１２及び１４は同一平面状に互いに平行に配置され、本発明による小児用ベッドの支持部を形成する。
【００３３】
もし必要であれば、小児用ベッドを閉鎖位置において固定する為には、上述と同様の方法で、外郭部分２、３をこの位置に固定することができ、及び／又は、前記フラップ３０を第２の外郭部分３の底面板６の背面上に伸ばすことができ、そして、前記フラップを、前記フラップの留め金及び輪状のファスナー３２により小児用ベッド１のクッション材４に固定することができる。
【００３４】
周知の小児用ベッドに対する本発明による小児用ベッドの追加的な利点は、本発明による小児用ベッドは開放位置及び閉鎖位置に配置できるだけではなく、多数の中間位置にも配置することができる点であり、そのような中間位置における小児用ベッドの固定は、適切な方向へ回転ノブ２５を回転することによる、迅速で、簡単な方法により実施可能である。
【００３５】
小児用ベッド１の外郭部分２及び３のそれぞれが、別々のクッション材を備えていても良いことは明らかであり、それにより、クッション材を取り外すことがかなり簡単になる。もし必要であれば、両方の外郭部分２、３の分離したクッション材４は、留め金及び輪状のファスナー等により、取り外し可能な方法で固定することができる。
【００３６】
前記のクランプ手段１９は、小児用ベッドの動作を妨げることなく、様々な方法により形成することができることも明らかである。
【００３７】
最後に、フラップ３０を固定する手段３２も様々な方法、例えば第２の外郭部分３のクッション材上にボタンを備え、フラップ３０の自由端上にボタン穴を備えること、により実現できることも明らかである。
【００３８】
さらに、小児予ベッドの開放位置において、フラップ３０は小児用ベッド１の不必要な移動を防止する補助としても利用することができ、この目的の為に、前記フラップ３０は、例えば小児用ベッドが置かれているマットレスの縁の下に置くことができる。
【００３９】
本発明はけして上述の記載及び添付の図面に限定されるものではなく、逆に、本発明による小児用ベッドは、本発明の特許請求の範囲を逸脱することなく、様々な形状及び寸法に、そして様々な変形によって実施することができる。
【図面の簡単な説明】
【００４０】
【図１】開放位置における本発明による小児用ベッドの斜視図である。
【図２】図１の線II−IIに沿う断面の拡大図である。
【図３】閉鎖位置における小児用ベッドの図２と同様の断面図である。
【図４】クッション材を取り外した図１の小児用ベッドを示す図である。
【図５】図４の矢印Ｆ５から見た拡大図である。
【図６】図５の矢印Ｆ６から見た図である。
【図７】図５の線VII−VIIに沿う断面図である。
【図８】図５の矢印Ｆ８から見た図である。
【図９】図５の線IX−IXに沿う断面図である。
【図１０】図８の部分Ｆ１０を示す図である。
【図１１】図９の部分Ｆ１１を示す図である。
【符号の説明】
【００４１】
１  小児用ベッド
２  第１の外郭部分
３  第２の外郭部分
４  クッション材
５  底面板
６  底面板
７  補強リブ
８  直立する壁
９  直立する壁
１２  ５の自由端
１３  切り欠き
１４  ６の自由端
１５  ９の遠端
１６  孔
１７  孔
１８  ヒンジペン
１９  クランプ手段
２０  歯車装置
２１  歯車装置
２２  リング状の厚い部分
２３  リング状の厚い部分
２４  リング状の突起
２５  回転ノブ
２６  ネジ山
２７  ネジ穴
２８  開口
２９  ファスナー
３０  フラップ
３１  取っ手
３２  ３０を固定する手段、留め金及び輪状のファスナー
【図１】
2006192274.tif 000003
【図２】
2006192274.tif 000004
【図３】
2006192274.tif 000005
【図４】
2006192274.tif 000006
【図５】
2006192274.tif 000007
【図６】
2006192274.tif 000008
【図７】
2006192274.tif 000009
【図８】
2006192274.tif 000010
【図９】
2006192274.tif 000011
【図１０】
2006192274.tif 000012
【図１１】
2006192274.tif 000013